(57)【特許請求の範囲】
【請求項１】
送話音の音量を検出する送話音量検出手段と、
受話信号を増幅する受話信号増幅手段と、
この受話信号増幅手段が増幅した受話信号に基づいて受話音を生成し、生成した受話音を出力する受話音出力手段と、
前記送話音量検出手段が検出した送話音の音量が第１の閾値を越えて連続的に増減したことに応じて前記受話音出力手段が出力する受話音の音量が連続的に増減するように前記受話信号増幅手段に受話信号を増幅させる制御手段とを備えた音声通信装置において、
前記制御手段は、前記送話音量検出手段が検出した送話音の音量が前記第１の閾値よりも大きな値の第２の閾値を越えたときには、前記受話音出力手段が出力する受話音の音量が、前記送話音の音量が第１の閾値を越えて且つ第２の閾値を越えていない範囲で増減する程度よりも急激に連続的に増減するように前記受話信号増幅手段に受話信号を急激に増幅させることを特徴とする音声通信装置。
【発明の詳細な説明】
【０００１】
【発明の属する技術分野】
本発明は、携帯電話装置などの音声通信装置に関する。
【０００２】
【発明が解決しようとする課題】
従来より、マイクが入力した送話音の音量を検出し、検出した送話音の音量に応じて、レシーバが出力する受話音の音量を増減させるものとして、例えば特開平６−２５２９８７号公報に開示されている音声通信装置がある。このものは、通話者は、通話中に、受話音を聞き取り難いときに、大きな声を発するという性質を利用したものであり、送話音の音量が増加したときには、受話音を聞き取り難い状況にあると判定し、受話音の音量が増加するように受話信号を増幅し、受話音を聞き取り易くさせるものである。このようにして、通話者は、受話音を聞き取り易くなるので、大きな声を発することがなくなる。
【０００３】
ところで、通話者は、通話中に、極めて大きな声を発する場合があるが、これは、周囲に不快感を与えるなど多大な迷惑を与えるものであり、好ましいものではない。ところが、実際には、通話者は、通話中にあるときには、受話音を聞き取るために注意が受話音に集中しているので、自分が発している声の大きさには、注意を怠っているというのが実情である。
【０００４】
このような事情から、通話者は、通話中に、極めて大きな声を発して、それが周囲に多大な迷惑を与えているような場合であっても、それを自覚することができないという問題があり、従来のものは、このような点において、使い勝手に劣るものであった。
【０００５】
本発明は、上記した事情に鑑みてなされたものであり、その目的は、通話者に対して、通話者が発している声が極めて大きくなった場合には、発している声が極めて大きいことを的確に知らせることができ、それにより、使い勝手の向上を図ることができる音声通信装置を提供することにある。
【０００６】
【課題を解決するための手段】
請求項１記載の音声通信装置によれば、送話音量検出手段は、送話音の音量を検出し、制御手段は、送話音量検出手段が検出した送話音の音量が第１の閾値を越えて連続的に増減したことに応じて受話音出力手段が出力する受話音の音量が連続的に増減するように受話信号増幅手段に受話信号を増幅させる。また、制御手段は、送話音量検出手段が検出した送話音の音量が前記第１の閾値よりも大きな値の第２の閾値を越えたときには、受話音出力手段が出力する受話音の音量が、前記送話音の音量が第１の閾値を越えて且つ第２の閾値を越えていない範囲で増減する程度よりも急激に連続的に増減するように受話信号増幅手段に受話信号を急激に増幅させる。
【０００７】
すなわち、このものによれば、送話音の音量が第２の閾値を越えると、受話音の音量を前記送話音の音量が第１の閾値を越えて且つ第２の閾値を越えていない範囲で増減する程度よりも急激に増減し、極めて大きな音量の受話音を出力するように構成したので、第２の閾値として周囲が多大な迷惑を感じる程度のレベルを設定しておくことにより、通話者に対して、通話者が発している声が周囲に多大な迷惑を与えていることを的確に知らせることができ、これにより、使い勝手の向上を図ることができる。
【０００８】
また、この場合は、送話音の音量が第１の閾値を越えて連続的に増減したことに応じて受話音の音量を連続的に増減するように構成したので、通話者がある程度の大きな声を発することにより、通話者に対して、受話音を聞き取り易くさせることができる。
【００１７】
【発明の実施の形態】
（第１の実施の形態）
以下、本発明を携帯電話装置に適用した第１実施例について、図１ないし図３を参照して説明する。
まず、図１は、携帯電話装置１の電気的な構成を機能ブロック図として示している。携帯電話装置１において、制御回路２（本発明でいう制御手段）は、マイクロコンピュータを主体として構成しており、無線通信網との間の無線通信を制御する無線回路３、送話音の入力および受話音の出力を制御する音声入出力回路４、各種のキーを配列してなるキーパッド５、例えば発信者電話番号などの各種の表示情報を表示するディスプレイ６、例えばメモリダイヤル情報などの各種の記憶情報を記憶するメモリ７を接続している。
【００１８】
無線回路３は、アンテナ８を接続しており、音声入出力回路４は、送話音を入力するマイクロホン９および受話音を出力するレシーバ１０（本発明でいう受話音出力手段）を接続している。また、音声入出力回路４において、送話音量検出回路１１（本発明でいう送話音量検出手段）は、マイクロホン９から送話音を入力すると、入力した送話音の音量を検出し、検出結果を制御回路２に出力し、受話信号増幅回路１２（本発明でいう受話信号増幅手段）は、無線回路３から制御回路２を通じて受話信号を入力すると、入力した受話信号を制御回路２から入力している増幅指令にしたがって増幅し、増幅した受話信号をレシーバ１０に出力する。そして、レシーバ１０は、受話信号増幅回路１２から当該受話信号増幅回路１２が増幅した受話信号を入力すると、入力した受話信号を音声に変換して受話音を生成し、生成した受話音を出力する。
【００１９】
制御回路２は、ユーザがキーを操作したことに応じて、キーパッド５からキー操作検出を入力すると、入力したキー操作検出を解読し、解読結果に応じた処理を実行する。また、制御回路２は、表示指令をディスプレイ６に出力することにより、表示指令に応じた表示情報をディスプレイ６に表示させる。さらに、制御回路２は、読出指令をメモリ７に出力することにより、メモリ７から読出指令に応じた記憶情報を入力する。
【００２０】
次に、上記した構成の作用について、図２および図３も参照して説明する。◎携帯電話装置１において、制御回路２は、通話を開始すると、ステップＳ１において、「ＹＥＳ」と判定し、送話音量検出回路１１から入力する検出結果、つまり、送話音の音量を記憶する記憶領域を初期化する（ステップＳ２）。
【００２１】
そして、制御回路２は、送話音量検出回路１１から入力した検出結果を解読することにより、送話音の音量を識別し（ステップＳ３）、識別した送話音の音量を上記した記憶領域に記憶すると共に、識別した送話音の音量が、あらかじめ設定している第１の閾値を越えているか否かを判定する（ステップＳ４）。
【００２２】
ここで、制御回路２は、識別した送話音の音量が第１の閾値を越えていれば、ステップ４において「ＹＥＳ」と判定し、識別した送話音の音量と、その直前に記憶領域に記憶した送話音の音量とを比較する（ステップＳ５，Ｓ６）。
【００２３】
そして、制御回路２は、識別した送話音の音量が、その直前に記憶領域に記憶した送話音の音量未満であれば、ステップＳ５において「ＹＥＳ」と判定し、このときは、送話音の音量が減少したことになるので、受話信号増幅回路１２に出力する増幅指令の値を減少させることにより、レシーバ１０が出力する受話音の音量を減少させる（ステップＳ７）。
【００２４】
一方、制御回路２は、識別した送話音の音量が、その直前に記憶領域に記憶した送話音の音量を越えていれば、ステップ６において「ＹＥＳ」と判定し、このときは、送話音の音量が増加したことになるので、識別した送話音の音量が、あらかじめ設定している前記第１の閾値よりも値が大きな第２の閾値を越えているか否かを判定する（ステップＳ８）。
【００２５】
そして、制御回路２は、識別した送話音の音量が第２の閾値を越えていなければ、ステップ８において「ＮＯ」と判定し、受話信号増幅回路１２に出力する増幅指令の値を増加させることにより、レシーバ１０が出力する受話音の音量を増加させる（ステップＳ９）。
【００２６】
一方、制御回路２は、識別した送話音の音量が第２の閾値を越えていれば、ステップ８において「ＹＥＳ」と判定し、受話信号増幅回路１２に出力する増幅指令の値を急激に増加させることにより、レシーバ１０が出力する受話音の音量を急激に増加させる（ステップＳ１０）。
【００２７】
そして、制御回路２は、通話を終了したか否かを判定し（ステップＳ１１）、通話を終了していなければ、上記したステップＳ３に戻り、以上に説明した処理を繰返して実行する。
尚、図３は、以上に説明した処理における送話音の音量と受話音の音量との関係および受話音の音量を急激に増加させるタイミングを概略的に示している。
【００２８】
以上に説明したように第１実施例によれば、送話音の音量が第２の閾値を越えると、受話音の音量を急激に増加させることにより、レシーバ１０から極めて大きな音量の受話音を出力させるように構成したので、第２の閾値として周囲が多大な迷惑を感じる程度のレベルを設定しておくことにより、通話者に対して、通話者が発している声が周囲に多大な迷惑を与えていることを的確に知らせることができ、これにより、使い勝手の向上を図ることができる。
【００２９】
また、この場合は、送話音の音量が第１の閾値を越えて第２の閾値未満であるときには、送話音の音量が増減したことに応じて受話音の音量を増減させるように構成したので、通話者がある程度の大きな声を発することにより、通話者に対して、受話音を聞き取り易くさせることができる。
【００３０】
（第２の実施の形態）
次に、本発明の第２実施例について、図４ないし図６を参照して説明する。尚、上記した第１実施例と同一部分には同一符号を付して説明を省略し、以下、異なる部分について説明する。
上記した第１実施例においては、制御回路２は、あらかじめ第１の閾値と第２の閾値との２個の閾値を設定しており、送話音の音量が第２の閾値を越えると、レシーバ１０が出力する受話音の音量を急激に増加させることにより、レシーバ１０から極めて大きな受話音を出力させる構成であるが、この第２実施例においては、制御回路２は、１個の閾値を設定しており、送話音の音量が閾値を越えると、レシーバ１０から受話音とは異なる音を警告音として出力させる構成である。
【００３１】
すなわち、図４に示すように、携帯電話装置２１において、音声入出力回路２２は、警告音出力回路２３を備えており、制御回路２は、識別した送話音の音量が閾値を越えていれば、ステップＳ２１において「ＹＥＳ」と判定し、警告音出力回路２３に警告音出力指令を出力することにより、レシーバ１０から受話音とは異なる音を警告音として出力させる（ステップＳ２２）。この場合、警告音は、例えば単一周波数の音や特定のメロデイである。
尚、図６は、以上に説明した処理における送話音の音量と受話音の音量との関係および警告音を出力させるタイミングを概略的に示している。
【００３２】
以上に説明したように第２実施例によれば、送話音の音量が閾値を越えると、レシーバ１０から受話音とは異なる警告音を出力させるように構成したので、閾値として周囲が多大な迷惑を感じる程度のレベルを設定しておくことにより、上記した第１実施例と同様にして、通話者に対して、通話者が発している声が周囲に多大な迷惑を与えていることを的確に知らせることができる。
【００３３】
（第３の実施の形態）
次に、本発明の第３実施例について、図７および図８を参照して説明する。尚、上記した第１実施例および第２実施例と同一部分には説明を省略し、以下、異なる部分について説明する。
上記した第２実施例においては、制御回路２は、１個の閾値を設定しており、送話音の音量が閾値を越えると、レシーバ１０から受話音とは異なる音を警告音として出力させる構成であるが、この第３実施例においては、上記した第１実施例と同様にして、あらかじめ第１の閾値と第２の閾値との２個の閾値を設定しており、送話音の音量が第１の閾値を越えて第２の閾値未満であれば、送話音の音量が増減したことに応じて受話音の音量を増減させ、送話音の音量が第２の閾値を越えると、レシーバ１０から受話音とは異なる音を警告音として出力させる構成である。
【００３４】
すなわち、制御回路２は、識別した送話音の音量が第２の閾値を越えていれば、ステップＳ８において「ＹＥＳ」と判定し、受話信号増幅回路１２に出力する増幅指令の値を増加させることにより、レシーバ１０が出力する受話音の音量を増加させると共に（ステップＳ２３）、警告音出力回路２３に警告音出力指令を出力することにより、レシーバ１０から受話音とは異なる音を警告音として出力させる（ステップＳ２４）。
尚、図８は、以上に説明した処理における送話音の音量と受話音の音量との関係および警告音を出力させるタイミングを概略的に示している。
【００３５】
以上に説明したように第３実施例によれば、送話音の音量が第２の閾値を越えると、レシーバ１０から受話音とは異なる警告音を出力させるように構成したので、第２の閾値として周囲が多大な迷惑を感じる程度のレベルを設定しておくことにより、上記した第１実施例および第２実施例と同様にして、通話者に対して、通話者が発している声が周囲に多大な迷惑を与えていることを的確に知らせることができる。
【００３６】
また、この場合は、上記した第１実施例と同様にして、送話音の音量が第１の閾値を越えて第２の閾値未満であるときには、送話音の音量が増減したことに応じて受話音の音量を増減させるように構成したので、通話者がある程度の大きな声を発することにより、通話者に対して、受話音を聞き取り易くさせることができる。
【００３７】
（第４の実施の形態）
次に、本発明の第４実施例について、図９ないし図１１を参照して説明する。尚、上記した第１実施例と同一部分には同一符号を付して説明を省略し、以下、異なる部分について説明する。
この第３実施例においては、制御回路２は、１個の閾値を設定しており、送話音の音量が閾値を越えると、バイブレータを動作させるものである。
【００３８】
すなわち、図９に示すように、携帯電話装置３１において、制御回路２は、バイブレータ３２を接続しており、識別した送話音の音量が閾値を越えていれば、ステップＳ２１において「ＹＥＳ」と判定し、バイブレータ３２に動作指令を出力することにより、バイブレータ３２を動作させる（ステップＳ３１）。
尚、図１１は、以上に説明した処理における送話音の音量と受話音の音量との関係およびバイブレータ３２を動作させるタイミングを概略的に示している。
【００３９】
以上に説明したように第４実施例によれば、送話音の音量が閾値を越えると、バイブレータ３２を動作させるように構成したので、閾値として周囲が多大な迷惑を感じる程度のレベルを設定しておくことにより、上記した第１実施例と同様にして、通話者に対して、通話者が発している声が周囲に多大な迷惑を与えていることを的確に知らせることができる。
【００４０】
また、この場合は、受話音や当該受話音とは異なる音ではなく、バイブレータ３２を動作させることにより、通話者に対して、通話者が発している声が周囲に多大な迷惑を与えていることを知らせるように構成したので、通話者が通話の内容を聞き漏らすというようなことがないという利点がある。
【００４１】
（第５の実施の形態）
次に、本発明の第５実施例について、図１２および図１３を参照して説明する。尚、上記した第１実施例および第４実施例と同一部分には説明を省略し、以下、異なる部分について説明する。
上記した第４実施例においては、制御回路２は、１個の閾値を設定しており、送話音の音量が閾値を越えると、バイブレータ３２を動作させる構成であるが、この第５実施例においては、上記した第１実施例と同様にして、あらかじめ第１の閾値と第２の閾値との２個の閾値を設定しており、送話音の音量が第１の閾値を越えて第２の閾値未満であれば、送話音の音量が増減したことに応じて受話音の音量を増減させ、送話音の音量が第２の閾値を越えると、バイブレータ３２を動作させる構成である。
【００４２】
すなわち、制御回路２は、識別した送話音の音量が第２の閾値を越えていれば、ステップＳ８において「ＹＥＳ」と判定し、受話信号増幅回路１２に出力する増幅指令の値を増加させることにより、レシーバ１０が出力する受話音の音量を増加させると共に（ステップＳ３２）、バイブレータ３２に動作指令を出力することにより、バイブレータ３２を動作させる（ステップＳ３３）。
尚、図１３は、以上に説明した処理における送話音の音量と受話音の音量との関係およびバイブレータ３２を動作させるタイミングを概略的に示している。
【００４３】
以上に説明したように第５実施例によれば、送話音の音量が第２の閾値を越えると、バイブレータ３２を動作させるように構成したので、第２の閾値として周囲が多大な迷惑を感じる程度のレベルを設定しておくことにより、上記した第１実施例および第４実施例と同様にして、通話者に対して、通話者が発している声が周囲に多大な迷惑を与えていることを的確に知らせることができる。
【００４４】
また、この場合は、上記した第１実施例と同様にして、送話音の音量が第１の閾値を越えて第２の閾値未満であるときには、送話音の音量が増減したことに応じて受話音の音量を増減させるように構成したので、通話者がある程度の大きな声を発することにより、通話者に対して、受話音を聞き取り易くさせることができる。
【００４５】
また、この場合も、受話音や当該受話音とは異なる音ではなく、バイブレータ３２を動作させることにより、通話者に対して、通話者が発している声が周囲に多大な迷惑を与えていることを知らせるように構成したので、通話者が通話の内容を聞き漏らすというようなことがないという利点がある。
【００４６】
（その他の実施の形態）
本発明は、上記した実施例にのみ限定されるものでなく、次のように変形または拡張することができる。
音声通信装置は、携帯電話装置に限らず、簡易型の携帯電話装置（ＰＨＳ：Personal Handyphone System）であっても良く、また、固定式の電話装置（例えば駅などに設置されている公衆電話装置）や、パーソナル無線通信装置などであっても良い。
【００４７】
レシーバから極めて大きな受話音を出力させる処理、レシーバから受話音とは異なる音を警告音として出力させる処理およびバイブレータを動作させる処理を組合わせても良い。
【図面の簡単な説明】
【図１】本発明の第１実施例の電気的な構成を示す機能ブロック図
【図２】制御内容を示すフローチャート
【図３】送話音の音量と受話音の音量との関係を概略的に示す図
【図４】本発明の第２実施例を示す図１相当図
【図５】図２相当図
【図６】図３相当図
【図７】本発明の第３実施例を示す図２相当図
【図８】図３相当図
【図９】本発明の第４実施例を示す図１相当図
【図１０】図２相当図
【図１１】図３相当図
【図１２】本発明の第５実施例を示す図２相当図
【図１３】図３相当図
【符号の説明】
図面中、１は携帯電話装置（音声通信装置）、２は制御回路（制御手段）、１０はレシーバ（受話音出力手段）、１１は送話音量検出回路（送話音量検出手段）、１２は受話信号増幅回路（受話信号増幅手段）である。
【図１】
0004013431.tif 000002
【図２】
0004013431.tif 000003
【図３】
0004013431.tif 000004
【図４】
0004013431.tif 000005
【図５】
0004013431.tif 000006
【図６】
0004013431.tif 000007
【図７】
0004013431.tif 000008
【図８】
0004013431.tif 000009
【図９】
0004013431.tif 000010
【図１０】
0004013431.tif 000011
【図１１】
0004013431.tif 000012
【図１２】
0004013431.tif 000013
【図１３】
0004013431.tif 000014